(57)【要約】【課題】建築コストを削減することができ、かつ、煩雑な作業を抑え、しかも反り発生しない引き戸用の小壁を施工する方法を提供する。【解決手段】建築物の引き戸１０を収納する引き戸用小壁２０を開口部に施工する方法で、引き戸１０の移動する左右方向に一定の幅Ｌと、左右方向に直交する前後方向に一定の厚みＴを有する、予め組み立てられた矩形状の軸組２１を、施工される引き戸用小壁２０の突出端部側Ｖの方向に取付けるとともに、左右方向に一定の幅Ｐと、前後方向に軸組２１と同一の厚みを有する縦軸２２を、軸組２１の左右方向で、施工される引き戸用小壁２０の突出端部側Ｖとは逆側に位置する端部側Ｗに取付け、軸組２１と縦軸２２との間隔Ｘを、施工される引き戸用小壁２０の左右方向の長さの大／小に対応させて大／小させるようにし、軸組２１と縦軸２２の前後方向の両表面にボード２３，２４を貼付ける。【選択図】図１
2005226313.tif 000002
【特許請求の範囲】
【請求項１】
建築物の引き戸を収納する引き戸用小壁を開口部に施工する方法であって、
前記引き戸の移動する左右方向に一定の幅と、前記左右方向に直交する前後方向に一定の厚みを有する、予め組み立てられた矩形状の軸組を、前記施工される引き戸用小壁の突出端部側になる位置に取付けるとともに、
前記左右方向に一定の幅と、前記前後方向に軸組と同一の厚みを有する縦軸を、前記軸組の左右方向で、前記施工される引き戸用小壁の突出端部側とは逆側に位置する端部側に取付け、
それら軸組と縦軸との間隔を、前記施工される引き戸用小壁の左右方向の長さの大／小に対応させて大／小させるようにし、
前記軸組と縦軸の前記前後方向の両表面にボードを貼付けることを特徴とする引き戸用小壁の施工方法。
【請求項２】
前記軸組は、工場で予め矩形状に組み立てられることを特徴とする請求項１に記載の引き戸用小壁の施工方法。
【発明の詳細な説明】
【技術分野】
【０００１】
本発明は、建築物に設けられる片引き戸用又は引き分け戸等、引き戸を設置する開口部に小壁を施工する方法に関するものである。
【背景技術】
【０００２】
従来、建築物における引き戸用の小壁は、施工現場において、羽柄材やそこで発生する端材を用いて軸組を製作し、それを開口枠体の片側に取付け、その表面にボードを貼って施工していた。
【０００３】
また、可動フレームを固定フレームに対してスライドさせることによって、壁面の大きさを変化させることのできる発明が公開されている（特許文献１参照）。
【特許文献１】特開２００３−１０５９０９号公報
【発明の開示】
【発明が解決しようとする課題】
【０００４】
しかしながら、施工現場で、羽柄材や端材を用いながら開口枠体の大きさに対応した軸組を製作する作業は、多くの時間と手間を必要とするので、結果的に建築コストが嵩むこととなっていた。
また、製作時間や使用する材が作業者によってまちまちであるため小壁の施工に要する労務費、材料費が不明確となり、延いては建築コストが不透明になる一因にもなっていた。
さらに、使用する複数の端材の材質や含水率が異なると、施工後に小壁の部分部分によって収縮率が異なり、小壁に反りが発生してしまうことが多々あった。その結果、引き戸と小壁が擦れ、引き戸に傷がついたり、小壁の壁紙が剥がれてしまうという問題が発生していた。
【０００５】
また、引き戸を収納する小壁の長さは様々であるので、施工現場で小壁の長さに合わせて軸組を製作するのは非常に煩わしく、熟練が要求される。
【０００６】
さらに、特許文献１に記載の発明についても、構成が複雑でコストや作業性の面で問題点がある。
【０００７】
そこで、本発明の目的とするところは、建築コストを削減することができ、かつ、煩雑な作業を抑え、しかも反りが発生しない引き戸用の小壁を施工する方法を提供することにある。
【課題を解決するための手段】
【０００８】
上記の目的を達成するために、本発明の請求項１に記載の発明は、建築物の引き戸（１０）を収納する引き戸用小壁（２０）を開口部に施工する方法であって、
前記引き戸（１０）の移動する左右方向に一定の幅（Ｌ）と、前記左右方向に直交する前後方向に一定の厚み（Ｔ）を有する、予め組み立てられた矩形状の軸組（２１）を、前記施工される引き戸用小壁（２０）の突出端部側（Ｖ）に取付けるとともに、前記左右方向に一定の幅（Ｐ）と、前記前後方向に前記軸組（２１）と同一の厚みを有する縦軸（２２）を、前記軸組（２１）の左右方向で、前記施工される引き戸用小壁（２０）の突出端部側（Ｖ）とは逆側に位置する端部側（Ｗ）に取付け、それら軸組（２１）と縦軸（２２）との間隔（Ｘ）を、前記施工される引き戸用小壁（２０）の左右方向の長さの大／小に対応させて大／小させるようにし、前記軸組（２１）と縦軸（２２）の前記前後方向の両表面にボード（２３，２４）を貼付けることを特徴とする。
【０００９】
また、請求項２に記載の発明は、前記軸組（２１）は、工場で予め矩形状に組み立てられることを特徴とする。
【００１０】
なお、カッコ内の記号は図面および後述する発明の実施の形態に記載された対応要素または対応事項を示す。
【発明の効果】
【００１１】
本発明によれば、施工される引き戸用小壁の左右方向の長さが様々の種類であっても、使用される軸組と縦軸は一種類でよいため、施工現場で小壁の長さに合わせて軸組を製作する必要はない。
しかも、軸組と縦軸は、例えば工場等で予め製作することができ、施工現場において端材で軸組を製作する必要がないので、それに要する多くの時間と手間を省くことができ、建築コストを削減することができる。
また、軸組を工場で同質の材料を使用して製作するので、小壁に反りが発生するのを未然に防止することができる。
これにより、引き戸と小壁が擦れたり、引き戸に傷が付いたり、あるいは小壁の壁紙が剥がれてしまうことがない。
【発明を実施するための最良の形態】
【００１２】
図１乃至図５を参照して、本発明の実施形態に係る引き戸用小壁の施工方法について説明する。図１は、本発明の実施形態に係る方法によって施工された引き戸用小壁であり、図４は、同じく、本発明の実施形態に係る方法によって施工された別の引き戸用小壁である。
【００１３】
本発明の実施形態に係る引き戸用小壁の施工方法は、建築物の引き戸（片引き戸）１０を収納する引き戸用小壁２０をその上部と下部を、まぐさ２５と床に固定して開口部に取付ける。また、その開口部には開口枠体５０が取付けられる。引き戸用小壁２０は、並設された軸組２１と縦軸２２の表面（表裏両面）にボード２３，２４を貼付けることによって構成される。
【００１４】
軸組２１は、複数の横桟２１ａを設けることによって必要な強度が確保されているが、上下両端部に縦桟を設けたり、あるいは、各角部にリブを設けて強度をさらに高めることもできる。
また、組み立てられた軸組２１は、矩形状であり、引き戸１０の移動する左右方向（図１の左右方向）に一定の幅Ｌ（例えば、５２０ｍｍ）と、左右方向に直交する前後方向（図１の紙面の表裏方向）に一定の厚みＴ（例えば、３２ｍｍ）を有している。
【００１５】
また、縦軸２２は、前後方向に軸組２１と略同一の厚み（例えば、３２ｍｍ）を有し、左右方向に一定の幅Ｐ（例えば、６０ｍｍ）を有している。左右方向の幅Ｐは、開口枠体５０を構成する外枠材５１の幅Ｙ（例えば、３０ｍｍ）よりも広く、その広い部分２２ａに、内側のボード２４を貼付けるようにしてある。
【００１６】
次に施工方法について説明する。
まず、予め工場で、同質の材料を使用して、機械と手作業によって軸組２１を組み立て、製作した軸組２１を施工現場まで搬送する。なお、軸組２１の材料だけを予め工場で製造し、施工現場へ搬送した後、組み立てるようにすることもできる。
そして、施工現場において、その軸組２１を、支持柱６１，６２間に取付けられた開口枠材５０の片側、すなわち、開口枠体５０を構成する中方立５２に接する位置で、まぐさ２５と床に固定して開口部に取付ける。
【００１７】
次に、縦軸２２を、引き戸１０の移動する左右方向に、軸組２１に並べて外枠材５１側の方向に取付ける。軸組２１と縦軸２２との位置関係は、軸組２１の方が、施工される引き戸用小壁２０の突出端部側Ｖに、縦軸２２の方が、その突出端部側Ｖとは逆側の端部側Ｗになるように取付けられている。なお、縦軸２２も軸組２１と同様に、開口枠体５０を構成する外枠材５１ではなく、間柱２６に固定される（間柱２６がない場合は直接柱６２に固定してもよい）。
そして、最後に、その軸組２１と縦軸２２の表面にボード２３を貼付けるとともに、軸組２１と縦軸２２の裏面にもボード２４を貼付ける。
【００１８】
この場合は、施工される引き戸用小壁２０の左右方向の長さが短いので、左右方向に沿って並べられた軸組２１と縦軸２２とは、互いに接する程度に接近しているが、図４，図５に示すように、施工される引き戸用小壁２０の左右方向の長さが、図１乃至図３の場合と比較して長い場合であっても、図１乃至図３の場合に示した一定の幅Ｌと厚みＴを有する軸組２１と、縦軸２２が使用される。
【００１９】
つまり、図４，図５に示すように、予め工場で、製作された軸組２１を、施工現場において、開口枠体５０を構成する中方立５２に接するようにして開口部に取付け、縦軸２２を中方位５２とは逆側、すなわち外枠材５１側の方向に取付け、その軸組２１と縦軸２２の表面及び裏面にボード２３，２４を貼付ける。
このとき、施工される引き戸用小壁２０の左右方向の長さＳが長いと、軸組２１と縦軸２２との間隔Ｘが離れ、その間では、ボード２３，２４を支持しないが、間隔Ｘが、軸組２１の幅Ｌに比較して、僅かであれば、ボード２３，２４を支持する強度において支障はない。この間隔Ｘは、例えば、軸組２１の幅Ｌが５２０ｍｍ，縦軸の幅Ｐが６０ｍｍの場合、４５５ｍｍで確認したところ支障はなかった。
このように、軸組２１と縦軸２２との間隔Ｘは、施工される引き戸用小壁２０の左右方向の長さＳが大きくなるにしたがって、大きくなるように、左右方向に並べて、逆に施工される引き戸用小壁２０の左右方向の長さＳが小さくなるにしたがって、小さくなるように、左右方向に並べられる。
【００２０】
この施工方法によれば、施工される引き戸用小壁２０の左右方向の長さＳが様々の種類であっても、使用される軸組２１と縦軸２２は一種類でよいため、施工現場で小壁２０の長さに合わせて軸組２１を製作する必要はない。
しかも、軸組２１と縦軸２２は、工場で予め製作することができ、施工現場において端材で軸組２１を製作する必要がないので、それに要する多くの時間と手間を省くことができ、建築コストを削減することができる。また、施工時間や使用する材が明確となり、延いては建築コストの透明化に寄与することができる。更に、延軸組２１を工場で同質の材料を使用して製作するので、小壁２０に反りが発生するのを未然に防止することができる。
これにより、引き戸１０と小壁２０が擦れたり、引き戸に傷が付いたり、あるいは小壁１０の壁紙が剥がれてしまうことがない。
【００２１】
なお本発明の実施形態においては、引き戸用の小壁として特に片引き戸用の小壁の施工方法について説明したが、図６に示すような、引き戸が２つ左右に組み合わされてなる引き分け戸４０用の小壁３０についても同様な施工方法を適用することができる。また、引き戸が二連，三連（特にその数に限定されない）と連なるものの小壁についても同様な施工方法を適用することができる。
【図面の簡単な説明】
【００２２】
【図１】本発明の実施形態に係る方法によって施工された引き戸用小壁を示す正面図である。
【図２】図１のＡ−Ａ断面拡大図である。
【図３】図２のＢ−Ｂ断面図である。
【図４】本発明の実施形態に係る方法によって施工された別の引き戸用小壁を示す正面図である。
【図５】図４のＣ−Ｃ断面拡大図である。
【図６】引き分け戸を示す外観斜視図である。
【符号の説明】
【００２３】
１０      引き戸
２０      引き戸用小壁
２１      軸組
２１ａ    横桟
２２      縦軸
２２ａ    外枠材の幅よりも広い部分
２３      ボード
２４      ボード
２５      まぐさ
２６      間柱
３０      小壁
４０      引き分け戸
５０      開口枠体
５１      外枠材
５２      中方立
６１      支持柱
６２      支持柱
【図１】
2005226313.tif 000003
【図２】
2005226313.tif 000004
【図３】
2005226313.tif 000005
【図４】
2005226313.tif 000006
【図５】
2005226313.tif 000007
【図６】
2005226313.tif 000008